(57)【要約】【課題】掃除性能および使用性を向上させたハンディタイプの電気掃除機を提供する。【解決手段】電動送風機９が設けられた電動送風機室６と、電動送風機室６と連通する集塵室７とを備えた掃除機本体２と、掃除機本体２先端側に接続されたノズル３（吸込具）と、掃除機本体２基端側に設けられた電源部４とを備え、ノズル３、集塵室７、電動送風機室６および電源部４を略一直線上に配置した電気掃除機１において、掃除機本体２に、電源部４の外径寸法Ｒ２に比べて大きい外径寸法Ｒ１を有する拡大部８を設け、拡大部８に、電動送風機９からの排気を外部に排出するための排気口１２を形成した。【選択図】  図３
2004173966.tif 000002
【特許請求の範囲】
【請求項１】
電動送風機が設けられた電動送風機室と、該電動送風機室と連通する集塵室とを備えた掃除機本体と、該掃除機本体先端側に接続された吸込具と、前記掃除機本体基端側に設けられた電源部とを備え、前記吸込具、前記集塵室、前記電動送風機室および前記電源部を略一直線上に配置した電気掃除機において、
前記掃除機本体に、前記電源部の外径寸法に比べて大きい外径寸法を有する拡大部を設け、
該拡大部に、前記電動送風機からの排気を外部に排出するための排気口を形成したことを特徴とする電気掃除機。
【請求項２】
前記電気掃除機の重心位置は、前記掃除機本体基端側に位置し、かつ掃除機本体の略中心軸線上に位置することを特徴とする請求項１に記載の電気掃除機。
【請求項３】
前記吸込具の外径寸法は、前記電源部の外径寸法より小さいことを特徴とする請求項１または２に記載の電気掃除機。
【請求項４】
前記電源部は、前記掃除機本体から取り外して充電可能であることを特徴とする請求項１から３のいずれかに記載の電気掃除機。
【請求項５】
電気掃除機の重心位置、またはその近傍に、電気掃除機をオン／オフするためのスイッチを設けることを特徴とする請求項１から４のいずれかに記載の電気掃除機。
【請求項６】
前記電気掃除機は、前記吸込具先端を別体の収納台の差込口に差し込むことにより立った状態で収納されることを特徴とする請求項１から５のいずれかに記載の電気掃除機。
【発明の詳細な説明】
【０００１】
【発明の属する技術分野】
本発明は、電気掃除機に関するものである。
【０００２】
【従来の技術】
本発明に関連する先行技術文献としては次のものがある。
【０００３】
【特許文献１】
特開２００１−２１８７０６号公報（図１）
【０００４】
前記特許文献１の従来の電気掃除機は、電動送風機が設けられた電動送風機室と、該電動送風機室と連通する集塵室とを備えた掃除機本体と、該掃除機本体先端側に接続された吸込具と、前記掃除機本体基端側に設けられた電源部とを備えるものである。この電気掃除機は、部屋、台所などの床の隅や、電球のカサなどの高い所を手軽に掃除するための小型かつコードレスで使用するハンディタイプのものである。
【０００５】
【発明が解決しようとする課題】
しかしながら、前記電気掃除機では、円筒形状の掃除機本体の外形寸法が片手で把持できる程度の大きさに設計されているので電動送風機が小さく、満足のいく掃除性能が得られないという問題があった。また、集塵室も容量が少なく、すぐに満杯になる。また、電動送風機からの排気がユーザの手元に直接吹き付けられ、使用性が悪いという問題もあった。
【０００６】
そこで、本発明は、掃除性能および使用性を向上させたハンディタイプの電気掃除機を提供することを課題とする。
【０００７】
【課題を解決するための手段】
本発明は、前記課題を解決するための手段として、
電動送風機が設けられた電動送風機室と、該電動送風機室と連通する集塵室とを備えた掃除機本体と、該掃除機本体先端側に接続された吸込具と、前記掃除機本体基端側に設けられた電源部とを備え、前記吸込具、前記集塵室、前記電動送風機室および前記電源部を略一直線上に配置した電気掃除機において、
前記掃除機本体に、前記電源部の外径寸法に比べて大きい外径寸法を有する拡大部を設け、
該拡大部に、前記電動送風機からの排気を外部に排出するための排気口を形成したものである。
【０００８】
前記発明では、掃除機本体に拡大部が設けられているので従来の電気掃除機に比べて大きい寸法の電動送風機を設けることができる。また、電源部の外径寸法に比べて大きい外径寸法を有する拡大部には、電動送風機からの排気を外部に排出するための排気口が形成されているので、電動送風機からの排気がユーザの手元に直接吹き付けられることを回避できる。
【０００９】
前記電気掃除機の重心位置は、前記掃除機本体基端側に位置し、かつ掃除機本体の略中心軸線上に位置することが好ましい。このとき、重心位置は、掃除機本体と電源部との間に位置することがより好ましい。
【００１０】
また、前記吸込具の外径寸法は、前記電源部の外径寸法より小さいことが好ましい。
【００１１】
前記電源部は、前記掃除機本体から取り外して充電可能であることが好ましい。
【００１２】
また、電気掃除機の重心位置、またはその近傍に、電気掃除機をオン／オフするためのスイッチを設けることにより、使用性が向上する。
【００１３】
前記電気掃除機は、前記吸込具先端を別体の収納台の差込口に差し込むことにより立った状態で収納されることが好ましい。
【００１４】
【発明の実施の形態】
以下、本発明の実施の形態を添付図面にしたがって説明する。
【００１５】
図１は、本発明に係る電気掃除機１を示す。この電気掃除機１は、掃除機本体２と、該掃除機本体２先端側に接続されたノズル３（吸込具）と、掃除機本体２基端側に設けられた電源部４とからなっている。各部材は、ノズル３、掃除機本体２および電源部４の順に略一直線上に配置されている。
【００１６】
前記掃除機本体２は、図３に示すように、枠体５内部に電動送風機室６と、該電動送風機室６と連通する集塵室７とを備えている。
【００１７】
前記電動送風機室６には、電動送風機室６基端側から先端側に向かって拡大する拡大部８が設けられており、電動送風機室６の外径寸法Ｒ１が電源部４の外径寸法Ｒ２に比べて大きくなっている。前記電動送風機室６内部には、小型の電動送風機９が設けられている。この電動送風機９の回転軸には、インペラ１０が回転自在に取り付けられている。前記電動送風機９は、接続端子１１および掃除機本体２内に配設されている図示しない配線を介して前記電源部４から電力を供給され、回転される。また、電動送風機室６に拡大部８が設けられているので、インペラ１０の径寸法を従来の電気掃除機１に比べて大きく取れ、これにより、電気掃除機１の吸込み性能（掃除性能）が向上する。また、図２に示すように、枠体５の拡大部８が形成されている部分には、前記電動送風機９からの排気を外部に排出するための排気口１２が形成されている。
【００１８】
前記集塵室７は、基端側から先端側に向かって細くなる略テーパ形状を有し、前記電動送風機室６と着脱自在に取り付けられている。また、集塵室７基端側の開口部には、取り外し可能なフィルタ１３が設けられている。
【００１９】
前記ノズル３は、ショートノズル３ａとロングノズル３ｂとからなり、ショートノズル３ａは、集塵室７と一体に取り付けられている。このショートノズル３ａ基端側の開口部には、逆止弁１４が設けられており、電動送風機９により集塵された塵埃が元に戻らないようになっている。ロングノズル３ｂは、図４に示すように、ショートノズル３ａから取り外し可能に取り付けられている。また、ノズル３の外径寸法Ｒ３は、電源部４の外径寸法Ｒ２に比べて小さく設計されている。
【００２０】
電源部４は、図４に示すように、略円筒形状の把持部１５内部に二次電池１６が設けられたものである。また、電源部４と掃除機本体２との間には、スイッチ１７（図１に図示）が設けられており、このスイッチ１７をオンすると電源部４の二次電池１６から電動送風機９に電力が供給されるようになっている。これにより使用性が向上したコードレス電気掃除機を提供できる。また、電源部４の把持部１５の外径寸法Ｒ２は、ユーザが片手で把持できる程度の寸法（本実施形態において、約３３ｍｍ）に設計されている。電源部４は、図４に示すように、掃除機本体２から取り外すことが可能で、電源部４の二次電池１６の電力が残り少なくなった場合、電源部４を掃除機本体２から取り外し、図示しない別体の充電器により充電することができるようになっている。また、電源部４基端には、充電中であることを示すために点灯する表示ランプ１８が設けられている。また、二次電池１６の代わりに一次電池を用いてもよい。
【００２１】
また、電気掃除機１の重心位置は、掃除機本体２基端側、具体的には掃除機本体２と電源部４との間、より具体的にはスイッチ１７が設けられている位置に位置している。これにより、ユーザが電気掃除機１を使用するとき、電気掃除機１の重量が軽く感じられるとともにスイッチ１７の操作性が向上する。また、電気掃除機１の重心位置は、掃除機本体２の略中心軸（図３において一点鎖線で図示）上に位置するため掃除機本体２の中心軸を中心にして電気掃除機１を回す場合、モーメントが発生せず使い勝手がよい。
【００２２】
次に、前記構成からなる電気掃除機１を用いて床面または高所などを掃除する場合について説明する。
【００２３】
電気掃除機１のスイッチ１７がオンされると、電動送風機９が駆動し、インペラ１０が回動される。そして、床面または高所の塵埃が、空気とともにノズル３から逆止弁１４を介して誘導され、集塵室７内に収容される。集塵室７内に吸引された空気は、フィルタ１３を介して電動送風機室６内に誘導されて排気口１２から掃除機本体２外部に排気される。このとき、掃除機本体２外部に排気された空気は、排気口１２が掃除機本体２の拡大部８に形成されているので掃除機本体２の半径方向に向かって排出され、ユーザの手元に向かわない。これにより、電気掃除機１の使用性が向上する。
【００２４】
また、床面、高所および家具の隙間などを掃除する場合、ロングノズル３ｂを用いて掃除し、机の上などを掃除する場合には、ロングノズル３ｂを掃除機本体２から取り外してショートノズル３ａで掃除してもよい。また、集塵室７内が塵埃またはゴミなどにより満杯になった場合、掃除機本体２を電動送風機室６と集塵室７に分割し、集塵室７のフィルタ１３を取り外し、集塵室７内の塵埃またはゴミを捨てることができる。
【００２５】
次に、前記電気掃除機１を収納する場合について説明する。
【００２６】
図５に示すように、電気掃除機１は、ロングノズル３ｂ先端を別体の収納台２０の差込口２１に差し込むことにより立った状態で収納される。この収納台２０は、中央が凸形状の略円板形状を有する。また、図６に示すように、ショートノズル３ａ先端を収納台２０の差込口２１に差し込むことにより収納するようにしてもよい。
【００２７】
前記収納台２０には、幅広またはブラシ付きのアタッチメント２２が取り外し可能に設けられており、図７に示すように、掃除する対象に合わせてアタッチメント２２をノズル３先端に取り付けることにより効率良く掃除できるようになっている。
【００２８】
また、前記実施形態の変形例として、図８に示すように、電源部４を掃除機本体２に対して略一直線上に配置するのでなく、所定の角度を付けて配置して、使用性を向上させてもよい。
【００２９】
【発明の効果】
以上の説明から明らかなように、本発明によると、掃除機本体に、電源部の外径寸法に比べて大きい外径寸法を有する拡大部を設け、拡大部に、電動送風機からの排気を外部に排出するための排気口を形成したので、掃除機本体外部に排気された空気はユーザの手元に向かわず、使用性を向上させた電気掃除機を提供できる。また、掃除機本体に拡大部が設けられているので従来の電気掃除機に比べて大きい寸法の電動送風機を設けることができ、掃除性能が向上するという効果をも奏する。
【図面の簡単な説明】
【図１】本発明の電気掃除機の正面図である。
【図２】図１の電気掃除機の一部拡大背面図である。
【図３】図１の電気掃除機の一部拡大断面図である。
【図４】図３の電気掃除機を分解した状態を示した断面図である。
【図５】図１の電気掃除機を収納する状態を示した斜視図である。
【図６】図１の電気掃除機を収納する状態を示した斜視図である。
【図７】図１の電気掃除機のノズル先端にアタッチメントを取り付けた状態を示した斜視図である。
【図８】図１の電気掃除機の変形例を示した側面図である。
【符号の説明】
１…電気掃除機
２…掃除機本体
３…ノズル（吸込具）
４…電源部
６…電動送風機室
７…集塵室
８…拡大部
９…電動送風機
１２…排気口
【図１】
2004173966.tif 000003
【図２】
2004173966.tif 000004
【図３】
2004173966.tif 000005
【図４】
2004173966.tif 000006
【図５】
2004173966.tif 000007
【図６】
2004173966.tif 000008
【図７】
2004173966.tif 000009
【図８】
2004173966.tif 000010